(57)【特許請求の範囲】
【請求項１】
ストリーミングサービスのための大容量マルチメディアコンテンツファイルを利用してダウンロードサービスを遂行するマルチメディアコンテンツサービス方法において、
任意の大容量マルチメディアコンテンツファイルに対するダウンロードサービスの要請を受信する過程と、
エンハンスメントレイヤービデオ（ｅｎｈａｎｃｅｍｅｎｔ  ｌａｙｅｒ  ｖｉｄｅｏ）が該当大容量マルチメディアコンテンツファイルに包含されている場合にＭＰ４ファイルフォーマットである該大容量マルチメディアコンテンツファイル内のメディアデータの所定部分を削除して小容量のマルチメディアコンテンツファイルを生成する過程であって、該小容量のマルチメディアコンテンツファイルは、該大容量マルチメディアコンテンツファイル内の該メディアデータの削除されていない部分を用いて生成される、過程と、
前記小容量のマルチメディアコンテンツファイルを該当端末機側に伝送する過程と、を順次行うことを特徴とするマルチメディアコンテンツの高速ダウンロードサービス方法。
【請求項２】
前記小容量のマルチメディアコンテンツファイルを生成するとき、前記大容量マルチメディアコンテンツファイル内のヘッダー部分も削除されることを特徴とする請求項１記載のマルチメディアコンテンツの高速ダウンロードサービス方法。
【請求項３】
前記小容量のマルチメディアコンテンツファイルを生成する過程は、
前記大容量マルチメディアコンテンツファイルに包含されたメディアデータのタイプを確認する過程と、
前記大容量マルチメディアコンテンツファイルに前記エンハンスメントレイヤービデオが包含されていると、該エンハンスメントレイヤービデオに関連する該大容量マルチメディアコンテンツファイル内の‘ｍｏｏｖ’トラックと‘ｍｄａｔ’のメディアデータを削除する過程と、
該削除されたメディアデータに対する該小容量のマルチメディアコンテンツファイル内のトラックヘッダーボックス値を調整する過程と、を順次行うことを特徴とする請求項１記載のマルチメディアコンテンツの高速ダウンロードサービス方法。
【請求項４】
前記マルチメディアコンテンツファイルに多重ビットレートメディアが包含されていると、使用者が選択したビットレート以外の前記大容量マルチメディアコンテンツファイル内の‘ｍｏｏｖ’トラックと‘ｍｄａｔ’のメディアデータを削除する過程をさらに含むことを特徴とする請求項３記載のマルチメディアコンテンツの高速ダウンロードサービス方法。
【請求項５】
前記トラックヘッダーボックス値を調整する過程は、
削除されたメディアデータに基づいて残っているメディアデータの位置を示す値を新たに調整する過程を含むことを特徴とする請求項３記載のマルチメディアコンテンツの高速ダウンロードサービス方法。
【請求項６】
前記トラックヘッダーボックス値を調整する過程は、
メディアデータ内容が全てのトラックにおいて同一であるか否かを示す全てのトラック内に存在するオールタネイト＿グループ値を‘０’にセッティングする過程を包含する、請求項３〜５のいずれか一項に記載のマルチメディアコンテンツの高速ダウンロードサービス方法。
【請求項７】
マルチメディアファイルの伝送に関連する情報を表すヒントトラックを、もしある場合には削除する過程をさらに包含する、請求項３〜５のいずれか一項に記載のマルチメディアコンテンツの高速ダウンロードサービス方法。
【発明の詳細な説明】
【技術分野】
【０００１】
本発明は、ＶＯＤ（Ｖｉｄｅｏ  ｏｎ  Ｄｅｍａｎｄ）に係るもので、詳しくは、ダウンロードサービスに使用されるマルチメディアコンテンツファイルのフォーマットを簡略に変換するマルチメディアコンテンツの高速ダウンロードサービス装置及びその方法に関するものである。
【背景技術】
【０００２】
一般に、ＶＯＤサービスのためのマルチメディアコンテンツファイルは、ＭＰ４ファイルのフォーマットに生成されて、ストリーミングサービスを効率的に具現し得るようにファイルが構成される。
【０００３】
従来のＭＰ４ファイルのフォーマットの構造においては、図５に示したように、ヘッダー部分に該当する‘ｍｏｏｖ’と、実際のメディア情報を包含している‘ｍｄａｔ’と、に大別される。
【０００４】
前記‘ｍｏｏｖ’は、マルチメディアコンテンツファイルに包含されたメディアの種類によって各メディアに対するメタ情報を包含している複数個のトラックボックスから構成される。即ち、該トラックボックスは、ビデオ情報に対するメタ情報を包含するビデオトラックと、オーディオ情報に対するメタ情報を包含するオーディオトラックと、実時間ストリーミングサービスのために存在するハインドトラックなどがある。
【０００５】
ファイルフォーマットから構成されるマルチメディアコンテンツファイルは。ストリーミングサービスに適合した構造であるが、現在のＶＯＤサービスにおいては、上記のような構造のマルチメディアコンテンツファイルに基づいてストリーミングサービスとダウンロードサービスとを同時に提供する。
【０００６】
一般に、前記ストリーミングサービスに適合したファイルを作る時は、該ストリーミングサービスが実時間に提供される時に発生される問題点を予め対処するため、そのファイルの内部構造を複雑にする機能が含まれる。該機能の代表的な例は、臨時拡張性（ｔｅｍｐｏｒａｌ  ｓｃａｌａｂｉｌｉｔｙ）を適用して多重ビデオトラックを構成する方法である。
【０００７】
図６は、臨時拡張性（ｔｅｍｐｏｒａｌ  ｓｃａｌａｂｉｌｉｔｙ）基盤のファイルフォーマットを利用したストリーミングサービスの実施形態であって、ネットワークの可用帯域幅によって基本レイヤービデオとエンハンスメントエンハンスメントレイヤービデオの伝送を調節することができる。
【０００８】
即ち、ＲＴＰ（ｒｅａｌ  ｔｉｍｅ  ｐｒｏｔｏｃｏｌ）ストリーミングサーバーは、前記ネットワークの可用帯域幅が低い場合に、基本レイヤービデオのみをＲＴＰパケットに乗せて伝送し、前記ネットワークの可用帯域幅が所定値以上に高い場合には、前記基本レイヤービデオだけでなくＢ（ｂｉｄｉｒｅｃｔｉｏｎａｌ）−フレームから構成されたエンハンスメントレイヤービデオを伝送することで、使用者がフレームレイトが高いビデオサービスを受け得るようにする。この時、前記Ｂ−フレームは、伝送エラー及び拡張性（ｓｃａｌａｂｉｌｉｔｙ）  の面では有利であるが、伝送量を増加させる。
【０００９】
そして、前記ネットワークの可用帯域幅が前記基本レイヤービデオを伝送し得ない程度に低いと、Ｉ（ｉｎｔｒｉｎｓｉｃ）−フレームのみを伝送してサービスする。
【００１０】
また、多重ビット−レイトのメディアを包含するマルチメディアコンテンツファイルのフォーマットを示したものであって、一つのマルチメディアコンテンツファイルに多重のビット−レイトに符号化されたビデオ及びオーディオデータを包含している。
【００１１】
前記マルチメディアコンテンツファイルにおいては、図７に示したように、前記臨時拡張性のように、ネットワークの可用帯域幅に適合したビデオ及びオーディオデータを選択してサービスし得る構造である。
【００１２】
また、前記ネットワークの可用帯域幅が２５６Ｋｂｐｓ以上であると、ビデオＶ３とオーディオＡ３をストリーミングサービスし、可用帯域幅が６４Ｋｂｐｓ以下であると、ビデオＶ１とオーディオＡ１をストリーミングサービスする。
【発明の開示】
【発明が解決しようとする課題】
【００１３】
然るに、このような従来のストリーミングサービス方法においては、前記エンハンスメントレイヤービデオなどを追加に貯蔵するために要求される付加的なデータがたくさん必要であるため、ダウンロードサービスによりマルチメディアコンテンツファイルを提供する場合には、伝送しなければならないデータ量が非常に大きくなるという不都合な点があった。
【００１４】
即ち、前記マルチメディアコンテンツのファイル全体を伝送するために必要なパケットの個数が増加してサービス使用料の負担が大きくなることで、使用者がファイルをダウンロードしてサービスを受けるための時間が長引くという不都合な点があった。
【００１５】
また、前記多重ビット−レイトで符号化されたメディアを包含する構造から成るマルチメディアコンテンツファイルをダウンロードサービスに利用する場合も、全体ファイルの伝送に必要なパケットの個数が増加してサービスの使用料の負担が大きくなることで、使用者がサービス利用のために待機する時間が長引くという不都合な点があった。
【００１６】
本発明は、このような従来の課題に鑑みてなされたもので、実時間ストリーミングサービスに適合したファイルのフォーマットをダウンロードサービスにより適合したファイルのフォーマットに変換し得るマルチメディアコンテンツの高速ダウンロードサービス装置及びその方法を提供することを目的とする。
【課題を解決するための手段】
【００１７】
このような目的を達成するため、本発明に係るマルチメディアコンテンツの高速ダウンロードサービス装置においては、ストリーミングサービスのための大容量マルチメディアコンテンツファイルを利用してダウンロードサービスを遂行するマルチメディアコンテンツサービス装置において、前記大容量マルチメディアコンテンツファイルに包含されたメディアのフォーマットによって所定メディア情報を削除して小容量のマルチメディアコンテンツファイルを生成するファイルコンバータを包含して構成することを特徴とする。
【００１８】
本発明に係るマルチメディアコンテンツの高速ダウンロードサービス方法においては、ストリーミングサービスのための大容量マルチメディアコンテンツファイルを利用してダウンロードサービスを遂行するマルチメディアコンテンツサービス方法において、任意の大容量マルチメディアコンテンツファイルに対するダウンロードサービスの要請を受信する過程と、該当大容量マルチメディアコンテンツファイルに包含されたメディアフォーマットによって所定メディア情報を削除して小容量のマルチメディアコンテンツファイルを生成する過程と、前記小容量のマルチメディアコンテンツファイルを該当端末機側に伝送する過程と、を順次行うことを第１特徴とする。
【００１９】
本発明に係るマルチメディアコンテンツの高速ダウンロードサービス方法においては、端末機から任意の大容量マルチメディアコンテンツファイルに対するダウンロードサービスの要請が入力される過程と、該当大容量マルチメディアコンテンツファイルに包含されたメディアフォーマットを確認する過程と、前記メディアフォーマットによって所定メディア情報を削除し、該削除されたメディア情報に対するトラックヘッダーボックス値を調整して小容量マルチメディアコンテンツファイルを生成する過程と、該小容量マルチメディアコンテンツファイルを該当端末機に伝送する過程と、を順次行うことを第２特徴とする。
【００２０】
本発明に係るマルチメディアコンテンツの高速ダウンロードサービス方法においては、多重ビット−レイトメディアを包含する大容量マルチメディアコンテンツファイルをダウンロードするマルチメディアコンテンツのサービス方法において、前記多重ビット−レイトメディアに関連された‘ｍｏｏｖ’のトラックと‘ｍｄａｔ’のメディアデータを削除する過程と、メディアデータ内容の同一性の可否を示すオールタネイト＿グループ値を‘０’にセッティングする過程と、削除されずに、残られたメディアデータの空間的位置を示すチャンク＿オフセット値を調整して小容量マルチメディアコンテンツファイルを生成する過程と、該小容量マルチメディアコンテンツファイルを端末機に伝送する過程と、を順次行うことを第３特徴とする。
【００２１】
本発明に係るマルチメディアコンテンツの高速ダウンロードサービス方法においては、エンハンスメントレイヤービデオを包含する大容量マルチメディアコンテンツファイルをダウンロードするマルチメディアコンテンツのサービス方法において、前記エンハンスメントレイヤービデオに関連された‘ｍｏｏｖ’のトラックと‘ｍｄａｔ’のメディアデータを削除する過程と、削除されずに、残られたメディアデータの空間的位置を示すチャンク＿オフセット値を調整してベースレイヤービデオから構成された小容量マルチメディアコンテンツファイルを生成する過程と、該小容量マルチメディアコンテンツファイルを端末機に伝送する過程と、を順次行うことを第４特徴とする。
【００２２】
本発明によるマルチメディアコンテンツの高速ダウンロードサービス装置は、ストリーミングサービスのための大容量マルチメディアコンテンツファイルを利用してダウンロードサービスを遂行するマルチメディアコンテンツサービス装置において、前記大容量マルチメディアコンテンツファイルに包含されたメディアのフォーマットによって所定メディア情報を削除して小容量のマルチメディアコンテンツファイルを生成するファイルコンバータを包含して構成され、これにより、上記目的を達成する。
【００２３】
前記メディアのフォーマットは、多重ビット−レイトメディアが包含されたフォーマットと、エンハンスメントレイヤービデオ（ｅｎｈａｎｃｅｍｅｎｔ  ｌａｙｅｒ  ｖｉｄｅｏ）が包含されたフォーマットと、から構成され得る。
【００２４】
前記ファイルコンバータは、大容量のマルチメディアコンテンツファイルに多重ビットレイトメディアが存在すると、使用者が選択したビット率の以外の‘ｍｏｏｖ’トラックと、‘ｍｄａｔ’のメディアデータを削除し、前記‘ｍｏｏｖ’のトラックヘッダーボックスの値を調整し得る。
【００２５】
前記トラックヘッダーボックス値の調整は、メディアデータ内容の同一性の可否を示すオールタネイト＿グループ（ａｌｔｅｒｎａｔｅ＿ｇｒｏｕｐ）値を‘０’にセッティングし、削除されずに、残られたメディアデータの空間的位置を示すチャンク＿オフセット（ｃｈｕｎｋ＿ｏｆｆｓｅｔ）値を調整し、ヒントトラックを削除し得る。
【００２６】
前記ファイルコンバータは、大容量のマルチメディアコンテンツファイルにエンハンスメントレイヤービデオが存在すると、該当エンハンスメントレイヤービデオと関連した‘ｍｏｏｖ’トラックと、‘ｍｄａｔ’のメディアデータと、を削除し、前記‘ｍｏｏｖ’のトラックヘッダーボックスの値を調整し得る。
【００２７】
前記トラックヘッダーボックス値の調整は、削除されずに、残られたメディアデータの空間的位置を示すチャンク＿オフセット値を調整し、ヒントトラックを削除し得る。
【００２８】
本発明によるマルチメディアコンテンツの高速ダウンロードサービス方法は、ストリーミングサービスのための大容量マルチメディアコンテンツファイルを利用してダウンロードサービスを遂行するマルチメディアコンテンツサービス方法において、任意の大容量マルチメディアコンテンツファイルに対するダウンロードサービスの要請を受信する過程と、該当大容量マルチメディアコンテンツファイルに包含されたメディアフォーマットによって所定メディア情報を削除して小容量のマルチメディアコンテンツファイルを生成する過程と、前記小容量のマルチメディアコンテンツファイルを該当端末機側に伝送する過程と、を順次行い、これにより、上記目的を達成する。
【００２９】
前記小容量のマルチメディアコンテンツファイルを生成する過程は、大容量のマルチメディアコンテンツファイルに包含されたメディアフォーマットを確認する過程と、メディアフォーマットによって所定メディア情報を削除する過程と、該削除されたメディア情報に対するトラックヘッダーボックス値を調整する過程と、を順次行い得る。
【００３０】
前記メディアフォーマットを確認する過程は、多重ビット−レイトメディアが包含されたかを判断する過程と、エンハンスメントレイヤービデオが包含されたかを判断する過程と、を順次行い得る。
【００３１】
前記メディア情報を削除する過程は、多重ビット−レイトメディアが包含されていると、使用者が選択したビット率以外の‘ｍｏｏｖ’トラックと‘ｍｄａｔ’のメディアデータを削除する過程と、エンハンスメントレイヤービデオが包含されていると、該エンハンスメントレイヤービデオに関連された‘ｍｏｏｖ’トラックと‘ｍｄａｔ’のメディアデータを削除する過程と、を順次行い得る。
【００３２】
前記トラックヘッダーボックス値を調整する過程は、削除されずに、残られたメディアデータの空間的位置を示すチャンク＿オフセット値を調整する過程と、を順次行い得る。
【００３３】
前記トラックヘッダーボックス値を調整する過程は、メディアデータ内容の同一性の可否を示すオールタネイト＿グループ値を‘０’にセッティングする過程を更に行い得る。
【００３４】
前記小容量のマルチメディアコンテンツファイルを生成する過程は、ストリーミングサービスを表示するヒントトラックが存在すると、該ヒントトラックを削除する過程を更に行い得る。
【００３５】
本発明によるマルチメディアコンテンツの高速ダウンロードサービス方法は、端末機から任意の大容量マルチメディアコンテンツファイルに対するダウンロードサービスの要請が入力される過程と、該当大容量マルチメディアコンテンツファイルに包含されたメディアフォーマットを確認する過程と、該メディアフォーマットによって所定メディア情報を削除し、該削除されたメディア情報に対するトラックヘッダーボックス値を調整して小容量マルチメディアコンテンツファイルを生成する過程と、前記小容量マルチメディアコンテンツファイルを該当端末機に伝送する過程と、を順次行い、これにより、上記目的を達成する。
【００３６】
前記メディアフォーマットを確認する過程は、多重ビット−レイトメディアを包含しているかを確認する過程と、エンハンスメントレイヤービデオを包含しているかを確認する過程と、を順次行い得る。
【００３７】
前記小容量マルチメディアコンテンツファイルを生成する過程は、大容量マルチメディアコンテンツファイルに多重ビット−レイトメディアが包含されていると、使用者が選択したビット率以外の‘ｍｏｏｖ’トラックと‘ｍｄａｔ’のメディアデータを削除する過程と、‘ｍｏｏｖ’のトラックヘッダーボックスフィールド値を調整する過程と、ストリーミングサービスを示すヒントトラックが存在すると、該ヒントトラックを削除する過程と、を順次行い得る。
【００３８】
前記トラックヘッダーボックスフィールド値を調整する過程は、メディアデータ内容の同一性の可否を示すオールタネイト＿グループ値を‘０’にセッティングする過程と、削除されずに、残られたメディアデータの空間的位置を示すチャンク＿オフセット値を調整する過程と、を順次行い得る。
【００３９】
前記小容量マルチメディアコンテンツファイルを生成する過程は、大容量マルチメディアコンテンツファイルにエンハンスメントレイヤービデオが包含されていると、該エンハンスメントレイヤービデオに関連された‘ｍｏｏｖ’トラックと‘ｍｄａｔ’のメディアデータを削除してベースレイヤービデオ（ｂａｓｅ  ｌａｙｅｒ  ｖｉｄｅｏ）に関連されたメディア情報のみを残す過程と、‘ｍｏｏｖ’のトラックヘッダーボックスフィールド値を調整する過程と、ストリーミングサービスを示すヒントトラックが存在すると、該ヒントトラックを削除する過程と、を順次行い得る。
【００４０】
前記トラックヘッダーボックスフィールド値を調整する過程は、削除されずに、残られたメディアデータの空間的位置を示すチャンク＿オフセット値を調整する過程を順次行い得る。
【００４１】
本発明によるマルチメディアコンテンツの高速ダウンロードサービス方法は、多重ビット−レイトメディアを包含する大容量マルチメディアコンテンツファイルをダウンロードするマルチメディアコンテンツのサービス方法において、前記多重ビット−レイトメディアに関連された‘ｍｏｏｖ’のトラックと‘ｍｄａｔ’のメディアデータを削除する過程と、メディアデータ内容の同一性の可否を示すオールタネイト＿グループ値を‘０’にセッティングする過程と、削除されずに、残られたメディアデータの空間的位置を示すチャンク＿オフセット値を調整して小容量マルチメディアコンテンツファイルを生成する過程と、前記小容量マルチメディアコンテンツファイルを端末機に伝送する過程と、を順次行い、これにより、上記目的を達成する。
【００４２】
前記小容量マルチメディアコンテンツファイルを生成する過程は、ストリーミングサービスを示すヒントトラックが存在すると、該ヒントトラックを削除する過程を更に行い得る。
【００４３】
本発明によるマルチメディアコンテンツの高速ダウンロードサービス方法は、エンハンスメントレイヤービデオを包含する大容量マルチメディアコンテンツファイルをダウンロードするマルチメディアコンテンツのサービス方法において、前記エンハンスメントレイヤービデオに関連された‘ｍｏｏｖ’のトラックと‘ｍｄａｔ’のメディアデータを削除する過程と、削除されずに、残られたメディアデータの空間的位置を示すチャンク＿オフセット値を調整してベースレイヤービデオから構成された小容量マルチメディアコンテンツファイルを生成する過程と、前記小容量マルチメディアコンテンツファイルを端末機に伝送する過程と、を順次行い、これにより、上記目的を達成する。
【００４４】
常時小容量マルチメディアコンテンツファイルを生成する過程は、ストリーミングサービスを示すヒントトラックが存在すると、該ヒントトラックを削除する過程を更に行い得る。
【発明の効果】
【００４５】
本発明に係るマルチメディアコンテンツの高速ダウンロードサービス装置及びその方法においては、ストリーミングサービスのための大容量のマルチメディアコンテンツファイルを小容量のマルチメディアコンテンツファイルに変換することで、ダウンロードサービスによりかかる時間を縮小し得るだけでなく、サービス利用のための待機時間が短縮されることで、使用者の便宜性を向上し得るという効果がある。
【００４６】
また、本発明に係るマルチメディアコンテンツの高速ダウンロードサービス装置及びその方法においては、ダウンロードサービスにより利用されるマルチメディアコンテンツファイルの大きさを減少させることで、使用者が負担するＶＯＤサービスの利用料を節減し得るという効果がある。
【発明を実施するための最良の形態】
【００４７】
以下、添付された図面を参照して本発明に係るマルチメディアコンテンツの高速ダウンロードサービス装置及びその方法の実施形態に対し説明する。
【００４８】
本発明に係るマルチメディアコンテンツの高速ダウンロードサービス装置の構成においては、図１に示したように、ストリーミングサービス用マルチメディアコンテンツファイルの内部属性によってメディア情報を選択的に削除してダウンロードサービス用マルチメディアコンテンツファイルに変換するファイルコンバータと１００、該ファイルコンバータ１００から出力されたダウンロードサービス用マルチメディアコンテンツファイルをＨＴＴＰを利用して端末機側に伝送するファイル伝送手段２００と、を包含して構成されている。
【００４９】
また、前記ファイルコンバータ１００は、大容量マルチメディアコンテンツファイルを構成する所定メディア情報を削除してダウンロードサービスにより適合した小容量のマルチメディアコンテンツファイルに変換する。この時、前記ダウンロードサービス用マルチメディアコンテンツファイルは、前記ストリーミングサービス用マルチメディアコンテンツファイルの基本フォーマットを維持する。
【００５０】
以下、上記のように構成されたストリーミングサービス用マルチメディアコンテンツの高速ダウンロードサービス装置の動作に対して説明する。
【００５１】
先ず、任意の大容量マルチメディアコンテンツに対するダウンロードサービスが端末機から要請されると、前記ファイルコンバータ１００は、該当マルチメディアコンテンツの内部属性を判断する。即ち、前記マルチメディアコンテンツがエンハンスメントレイヤービデオを包含しているか、多重ビット−レイトのメディアを包含しているかを判断する。
【００５２】
前記マルチメディアコンテンツがエンハンスメントレイヤービデオを包含していると、該エンハンスメントレイヤービデオに関連されたメディア情報を削除し、前記マルチメディアコンテンツが多重ビット−レイトメディアを包含していると、使用者が選択したビット率以外のメディア情報を削除して小容量のマルチメディアコンテンツファイルに変換した後、該当端末機側に伝送する。
【００５３】
また、図２は、本発明に係るエンハンスメントレイヤービデオを包含した大容量のマルチメディアコンテンツファイルを小容量のマルチメディアコンテンツファイルに変換した図面である。
【００５４】
前記大容量のマルチメディアコンテンツファイルは、ヘッダー部分の‘ｍｏｏｖ’とメディアデータ部分の‘ｍｄａｔ’から構成され、該‘ｍｄａｔ’とのベースレイヤービデオとエンハンスメントレイヤービデオから構成される。
【００５５】
前記大容量マルチメディアコンテンツファイルが入力されると、前記エンハンスメントレイヤービデオに関連された‘ｍｏｏｖ’のトラックと‘ｍｄａｔ’のメディアデータを削除して小容量のマルチメディアコンテンツファイルに変換する。この時、前記ベースレイヤービデオとエンハンスメントレイヤービデオとは相互独立的な内容であるため、前記ベースレイヤービデオに影響を及ぼすことなく、削除が可能である。
【００５６】
前記マルチメディアコンテンツファイルから削除されずに、残られたメディアデータの空間的位置値（ｃｈｕｎｋ＿ｏｆｆｓｅｔ）を新しく調整し、前記‘ｍｏｏｖ’にヒントトラックが存在すると、該ヒントトラックを削除する。
【００５７】
本発明に係る多重ビット−レイトのメディアを包含した大容量マルチメディアコンテンツファイルを小容量のマルチメディアコンテンツファイルに変換したのは、図３に示したように、６４Ｋｂｐｓの単一ビット率のみを支援する小容量ファイルに変換した結果である。
【００５８】
前記大容量マルチメディアコンテンツファイルが入力されると、使用者が選択したビット率以外の‘ｍｏｏｖ’トラックと‘ｍｄａｔ’のメディアデータを削除して小容量のマルチメディアコンテンツファイルに変換する。
【００５９】
即ち、前記‘ｍｏｏｖ’のヒントトラックは、ダウンロードサービスに役に立たない情報であるため削除し、前記メディアデータのメタ情報のトラック（Ｖ２）、トラック（Ｖ３）、トラック（Ａ２）、トラック（Ａ３）は、トラック（Ｖ１）、トラック（Ａ１）と独立された情報であるため、前記‘ｍｏｏｖ’で削除する。そして、前記‘ｍｄａｔ’に貯蔵されているメディアデータから６４Ｋｂｐｓに関連されたＶ１とＡ１のみを残して、残りのメディアデータは削除する。
【００６０】
この時、前記トラック（Ｖ１）とトラック（Ａ１）のヘッダー情報のトラックヘッダーボックスのフィールドの中、オールタネイト＿グループフィールド値を変換しなければならない。該オールタネイト＿グループフィールドは、各トラック毎に存在する値であるが、該値によってメディアデータの内容が同様であるかを判断することができる。
【００６１】
例えば、二つ以上のトラックに対して前記オールタネイト＿グループ値が同一な自然数であると、前記二つ以上のトラックは、相互相違なビット率を有するが、同一な内容のビデオトラックであることを意味し、前記オールタネイト＿グループ値が‘０’である場合には、各ビデオトラックは相互相違な内容のビデオトラックであることを意味する。
【００６２】
前記多重ビット率を包含したマルチメディアコンテンツファイルは、図３に示したように、６４Ｋｂｐｓ、１２８Ｋｂｐｓ、２５６Ｋｂｐｓに相互相違な３種類のビット率を有する同一な内容のメディアデータを包含するので、前記オールタネイト＿グループ値は‘０’ではない同一な自然数である。
【００６３】
然し、本発明に係る単一ビット率を有する小容量のマルチメディアコンテンツに変換されると、各メディアデータが相違な内容であるため、前記オールタネイト＿グループ値が‘０’にならなければならない。従って、前記トラック（Ｖ１）  のヘッダーに記録されるオールタネイト＿グループ値と、トラック（Ａ１）  のヘッダーに記録されるオールタネイト＿グループ値は全部‘０’に変換する。
【００６４】
そして、前記大容量のマルチメディアコンテンツファイルにおいて、削除されずに、残られたメディアデータの空間的位置を示すチャンク＿オフセット値を調整する。
【００６５】
前記ファイルコンバータ１００は、図２及び図３に示したように、ストリーミングサービスに適合した大容量のマルチメディアコンテンツファイルの構造を簡略に変換してファイルの大きさを減らすことで、ファイルダウンロードに必要な時間を縮小する。
【００６６】
本発明に係るマルチメディアコンテンツの高速ダウンロードサービス方法においては、図４に示したおうに、先ず、使用者により任意のマルチメディアコンテンツファイルに対するダウンロードサービスが要請されると（Ｓ１１）、前記ファイルコンバータ１００は、該当マルチメディアコンテンツファイルに多重ビット−レイトメディアが存在するかを判断する（Ｓ１２）。この時、前記マルチメディアコンテンツファイルは、ストリーミングサービスに適合するように内部構造が複雑で、大容量のマルチメディアコンテンツファイルである。
【００６７】
前記マルチメディアコンテンツファイルに多重ビット−レイトメディアが存在すると、使用者が選択したビット率と関係のない‘ｍｏｏｖ’のトラックと‘ｍｄａｔ’のメディアデータを削除し（Ｓ１３）、前記‘ｍｏｏｖ’のトラックヘッダーボックスのオールタネイト＿グループ値を‘０’にセッティングする（Ｓ１４）。即ち、前記マルチメディアコンテンツファイルに多重ビット−レイトメディアが存在すると、前記トラックヘッダーボックスのオールタネイト＿グループ値は‘０’ではない同一な自然数であるが、単一ビット率のマルチメディアコンテンツファイルに縮小すると、各メディアデータが相互相違な内容であることを意味するように前記オールタネイト＿グループ値を‘０’にセッティングする。
【００６８】
前記マルチメディアコンテンツファイルに多重ビット−レイトメディアが存在しないと、前記マルチメディアコンテンツファイルにエンハンスメントレイヤービデオが存在するかを判断し（Ｓ１５）、該エンハンスメントレイヤービデオが存在すると、該エンハンスメントレイヤービデオに関連された‘ｍｏｏｖ’トラックと‘ｍｄａｔ’のメディアデータを削除する（Ｓ１６）。この時、前記マルチメディアコンテンツファイルは、各独立的な内容のベースレイヤービデオとエンハンスメントレイヤービデオを包含している。
【００６９】
前記マルチメディアコンテンツファイルを単一ビット率に縮小するか、又は前記エンハンスメントレイヤービデオに関連されたメディア情報を削除した後、削除されずに、残られた前記メディアデータの空間的位置を示すチャンク＿オフセット値を新しく調整して（Ｓ１７）、ストリーミングサービスに関連されたヒントトラックがの存在するかを確認して前記ヒントトラックを削除する（Ｓ１８）。
【００７０】
前記ストリーミングサービスに適合した大容量のマルチメディアコンテンツファイルにおいて、使用者が選択したビット率以外のメディア情報又はエンハンスメントレイヤービデオに関連されたメディア情報が削除され、各ヘッダーの設定値が変更されることで、ダウンロードサービスにより適合した小容量のマルチメディアコンテンツファイルに変更される（Ｓ１９）。
【００７１】
前記小容量のマルチメディアコンテンツファイルは、ファイル伝送手段によってダウンロードサービスを要請した端末機側に伝送される（Ｓ２０）。
【００７２】
前記大容量マルチメディアコンテンツファイルに多重ビット−レイトメディアやエンハンスメントレイヤービデオが存在しないと、小容量マルチメディアコンテンツファイルに変換されることなく（Ｓ２１）、そのままダウンロードサービスを要請した端末機側に伝送される（Ｓ２０）。
【００７３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
（要約）
本発明は、実時間ストリーミングサービスに適合したファイルのフォーマットをダウンロードサービスにより適合したファイルのフォーマットに変換するマルチメディアコンテンツの高速ダウンロードサービス装置及びその方法を提供する。本発明に係るマルチメディアコンテンツの高速ダウンロードサービス装置においては、トリーミングサービスのための大容量マルチメディアコンテンツファイルを利用してダウンロードサービスを遂行するマルチメディアコンテンツサービス装置において、前記大容量マルチメディアコンテンツファイルに包含されたメディアのフォーマットによって所定メディア情報を削除して小容量のマルチメディアコンテンツファイルを生成するファイルコンバータを包含して構成されることを特徴とする。
【図面の簡単な説明】
【００７４】
【図１】本発明に係るマルチメディアコンテンツの高速ダウンロードサービス装置の構成を示したブロック図である。
【図２】本発明に係るエンハンスメントレイヤービデオを包含した大容量のマルチメディアコンテンツファイルを小容量のマルチメディアコンテンツファイルに変換する図である。
【図３】本発明に係る多重ビット−レイトのメディアを包含した大容量マルチメディアコンテンツファイルを小容量のマルチメディアコンテンツファイルに変換した図である。
【図４】本発明に係るマルチメディアコンテンツの高速ダウンロードサービス方法を示したフローチャートである。
【図５】従来のＭＰ４ファイルのフォーマットの構造を示した図である。
【図６】臨時拡張性に基づいたファイルフォーマットを利用したストリーミングサービスの実施形態を示した図である。
【図７】従来の多重ビット−レイトのメディアを包含するマルチメディアコンテンツファイルのフォーマットを示した図である。
【図１】
0004689996.tif 000002
【図２】
0004689996.tif 000003
【図３】
0004689996.tif 000004
【図４】
0004689996.tif 000005
【図５】
0004689996.tif 000006
【図６】
0004689996.tif 000007
【図７】
0004689996.tif 000008